(57)【要約】【課題】本発明は、ケーブルを保持させるための作業の作業性を向上させる。【解決手段】本発明は、ケーブルホルダ３０においてホルダ本体３１にケーブル太さＷ３よりも幅広に形成された切欠でなるケーブル保持部３２と、そのケーブル保持部３２の一方又は両方の内側面３２Ｂ及び３２Ｃの開口側に形成された突起でなり、当該ケーブル保持部３２の切欠幅Ｗ１をケーブル太さＷ３よりも僅かに狭めるケーブル抜防止部３３とを設けることにより、ケーブルホルダ３０においてフラットケーブル２５をケーブル抜防止部３３の差込隙間３５を介してケーブル保持部３２内に差し込ませるだけの簡易な作業で、当該フラットケーブル２５をケーブル保持部３２内に保持することができ、フラットケーブル２５を保持させるための作業の作業性を向上させることができる。【選択図】図３
2008211867.tif 000002
【特許請求の範囲】
【請求項１】
電子機器の内部でケーブルを保持するケーブルホルダにおいて、
上記ケーブルホルダは、
絶縁材により板状に形成されたホルダ本体と、
上記ホルダ本体に対し上記ケーブルの太さよりも幅広に形成された切欠でなり、当該ケーブルを保持するケーブル保持部と、
上記ケーブル保持部の一方又は両方の内側面の開口側に形成された突起でなり、当該ケーブル保持部の切欠幅を上記ケーブルの太さよりも僅かに狭めて、上記ケーブル保持部内からの上記ケーブルの抜けを防止するケーブル抜防止部と
を具えることを特徴とするケーブルホルダ。
【請求項２】
上記ケーブル抜防止部は、
先端部の先端壁面が上記ケーブル保持部の上記内側面と平行な平面状に形成され、当該先端壁面の上記開口側の角部と、上記ケーブル保持部の内底面側の角部とが円弧状に形成された
ことを特徴とする請求項１に記載のケーブルホルダ。
【請求項３】
上記ケーブル抜防止部は、
上記ケーブル保持部の上記開口側の上記切欠幅を、上記ケーブルの太さよりもさらに当該ケーブルに設けられた樹脂被膜の厚み分だけ狭める
ことを特徴とする請求項２に記載のケーブルホルダ。
【請求項４】
上記ケーブル抜防止部は、
上記ケーブル保持部の一方の上記内側面の上記開口側に形成され、上記先端壁面よりも上記開口側の開口側壁面が上記ケーブル保持部の対向する他方の上記内側面との間口を外部に向けて徐々に広げるようにテーパ状に形成され、
上記ケーブル保持部は、
上記ケーブル抜防止部の上記開口側壁面と対向する他方の上記内側面の上記開口側の端部が、当該開口側壁面との上記間口を上記外部に向けて徐々に広げるようにテーパ状に形成された
ことを特徴とする請求項２に記載のケーブルホルダ。
【請求項５】
上記ケーブル抜防止部は、
上記ケーブル保持部の両方の上記内側面の上記開口側に対向して形成され、上記先端壁面よりも上記開口側の開口側壁面が外部に向けて徐々に間口を広げるようにテーパ状に形成された
ことを特徴とする請求項２に記載のケーブルホルダ。
【請求項６】
上記ケーブル保持部は、
一方及び他方の上記内側面が平行に形成され、内底面が円弧状に形成された
ことを特徴とする請求項１に記載のケーブルホルダ。
【請求項７】
内部にケーブルを保持するケーブルホルダが設けられた電子機器において、
上記ケーブルホルダは、
絶縁材により板状に形成されたホルダ本体と、
上記ホルダ本体に対し上記ケーブルの太さよりも幅広に形成された切欠でなり、当該ケーブルを保持するケーブル保持部と、
上記ケーブル保持部の一方又は両方の内側面の開口側に形成された突起でなり、当該ケーブル保持部の切欠幅を上記ケーブルの太さよりも僅かに狭めて、上記ケーブル保持部内からの上記ケーブルの抜けを防止するケーブル抜防止部と
を具えることを特徴とする電子機器。
【請求項８】
上記ケーブル抜防止部は、
先端部の先端壁面が上記ケーブル保持部の上記内側面と平行な平面状に形成され、当該先端壁面の上記開口側の角部と、上記ケーブル保持部の内底面側の角部とが円弧状に形成された
ことを特徴とする請求項７に記載の電子機器。
【請求項９】
上記ケーブル抜防止部は、
上記ケーブル保持部の上記開口側の上記切欠幅を、上記ケーブルの太さよりもさらに当該ケーブルに設けられた樹脂被膜の厚み分だけ狭める
ことを特徴とする請求項８に記載の電子機器。
【請求項１０】
上記ケーブル抜防止部は、
上記ケーブル保持部の一方の上記内側面の上記開口側に形成され、上記先端壁面よりも上記開口側の開口側壁面が上記ケーブル保持部の対向する他方の上記内側面との間口を外部に向けて徐々に広げるようにテーパ状に形成され、
上記ケーブル保持部は、
上記ケーブル抜防止部の上記開口側壁面と対向する他方の上記内側面の上記開口側の端部が、当該開口側壁面との上記間口を上記外部に向けて徐々に広げるようにテーパ状に形成された
ことを特徴とする請求項８に記載の電子機器。
【請求項１１】
上記ケーブル抜防止部は、
上記ケーブル保持部の両方の上記内側面の上記開口側に対向して形成され、上記先端壁面よりも上記開口側の開口側壁面が外部に向けて徐々に間口を広げるようにテーパ状に形成された
ことを特徴とする請求項８に記載の電子機器。
【請求項１２】
上記ケーブル保持部は、
一方及び他方の上記内側面が平行に形成され、内底面が円弧状に形成された
ことを特徴とする請求項７に記載の電子機器。
【発明の詳細な説明】
【技術分野】
【０００１】
本発明はケーブルホルダ及び電子機器に関し、例えば複数の導線をそれぞれ絶縁性の樹脂被膜で被覆し帯状に束ねて形成されたフラットケーブルを保持するケーブルホルダ、及び当該ケーブルホルダが内部に設けられた音楽再生装置に適用して好適なものである。
【背景技術】
【０００２】
従来の音楽再生装置は、例えば本体部内に複数の電子部品が収納され、これら電子部品同士がフラットケーブルを介して電気的に接続されていた。そして音楽再生装置では、本体部内にケーブルホルダが設けられ、当該ケーブルホルダによりフラットケーブルの途中部分を保持して当該フラットケーブルを金属製のシャーシ等から離間させていた。これにより音楽再生装置では、持ち運び等の際に外部から筐体に与えられる振動がフラットケーブルに伝搬し、その結果、フラットケーブルがシャーシの縁等に接触したまま振動して断線し破損することを防止していた。
【０００３】
ここで従来、音楽再生装置の本体部内でフラットケーブルを保持するケーブルホルダとしては、以下に示すようなものがある。かかるケーブルホルダは、板状のホルダ本体の側面に略Ｔ字状の突起が、当該突起の腕部の長手方向を側面の長手方向（以下、これを側面長手方向と呼ぶ）と平行にして設けられて形成されている。そしてケーブルホルダは、突起が、フラットケーブルに形成されたスリットに差し込まれることで、当該フラットケーブルをそのフラットケーブルの幅方向（以下、これをケーブル幅方向と呼ぶ）と側面長手方向とを平行にした状態で、突起の腕部とホルダ本体の側面との間に挟み込むようにして保持していた（例えば、特許文献１参照）。
【特許文献１】実開昭５７−１８１０８２号公報（第４図、第６図）
【発明の開示】
【発明が解決しようとする課題】
【０００４】
ところが、かかる構成のケーブルホルダに保持されるフラットケーブルは、当該フラットケーブルの長手方向（以下、これをケーブル長手方向と呼ぶ）に沿ってスリットが形成されている。このため、かかるケーブルホルダでは、フラットケーブルを突起の腕部とホルダ本体の側面との間に挟み込むように保持する際に、そのフラットケーブルを一旦ケーブル長手方向が側面長手方向と平行になるように突起と対向させて当該突起をスリットに差し込ませる。そしてケーブルホルダでは、この後、さらにフラットケーブルをケーブル長手方向が側面長手方向と直行するように（すなわち、ケーブル幅方向が側面長手方向と平行になるように）回転させなければならず、フラットケーブルを保持させるための作業が煩雑であり作業性がわるいと言う問題があった。
【０００５】
本発明は以上の点を考慮してなされたもので、ケーブルを保持させるための作業の作業性を向上させ得るケーブルホルダ及び電子機器を提案しようとするものである。
【課題を解決するための手段】
【０００６】
かかる課題を解決するため本発明においては、電子機器の内部でケーブルを保持するケーブルホルダに対し、絶縁材により板状に形成されたホルダ本体と、そのホルダ本体に対しケーブルの太さよりも幅広に形成された切欠でなり、当該ケーブルを保持するケーブル保持部と、そのケーブル保持部の一方又は両方の内側面の開口側に形成された突起でなり、当該ケーブル保持部の切欠幅をケーブルの太さよりも僅かに狭めて、ケーブル保持部内からのケーブルの抜けを防止するケーブル抜防止部とを設けるようにした。
【０００７】
従って本発明では、ケーブルホルダにおいてケーブルをケーブル抜防止部の隙間を介してケーブル保持部内に差し込ませるだけの簡易な作業で、当該ケーブルをケーブル保持部内に保持することができる。
【発明の効果】
【０００８】
本発明によれば、電子機器の内部でケーブルを保持するケーブルホルダに対し、絶縁材により板状に形成されたホルダ本体と、そのホルダ本体に対しケーブルの太さよりも幅広に形成された切欠でなり、当該ケーブルを保持するケーブル保持部と、そのケーブル保持部の一方又は両方の内側面の開口側に形成された突起でなり、当該ケーブル保持部の切欠幅をケーブルの太さよりも僅かに狭めて、ケーブル保持部内からのケーブルの抜けを防止するケーブル抜防止部とを設けるようにしたことにより、ケーブルホルダにおいてケーブルをケーブル抜防止部の隙間を介してケーブル保持部内に差し込ませるだけの簡易な作業で、当該ケーブルをケーブル保持部内に保持することができ、かくしてケーブルを保持させるための作業の作業性を向上させ得るケーブルホルダ及び電子機器を実現することができる。
【発明を実施するための最良の形態】
【０００９】
以下図面について、本発明の一実施の形態を詳述する。
【００１０】
図１において、１は全体として本発明を適用した音楽再生装置を示し、本体部２と、右スピーカ部３及び左スピーカ部４とから構成されている。この場合、本体部２の正面（以下、これを本体正面と呼ぶ）２Ａには、一端寄りに液晶パネル又は有機ＥＬ（Electro Luminescence）パネル等でなる表示パネル１０が配置されている。また本体正面２Ａには、中央部に円板状の音量調整つまみ１１が当該本体正面２Ａと垂直な回動軸を中心にして回動自在に設けられている。さらに本体正面２Ａには、電源ボタンや再生開始ボタン、再生停止ボタン等の各種操作ボタン（図示せず）も配置されている。
【００１１】
さらにまた本体正面２Ａには、他端寄りに、本体部２内に電子部品として収納されたコンパクトディスクドライブのディスクトレイ１２がその端面を露出させて配置されている。そして本体部２の内部には、電子部品として、そのコンパクトディスクドライブの他に、電源回路や再生処理回路、表示処理回路等の種々の電子素子が実装された複数のプリント配線基板も収納されている。
【００１２】
一方、右スピーカ部３は、ステレオ用の一対の右側スピーカ１５及び左側スピーカ１６のうち、右側スピーカ１５が収納され、正面に当該右側スピーカ１５の振動板を露出させている。また左スピーカ部４は、左側スピーカ１６が収納され、正面に当該左側スピーカ１６の振動板を露出させている。そして右スピーカ部３及び左スピーカ部４は、それぞれ右側スピーカ１５及び左側スピーカ１６が本体部２内の再生処理回路等と電気的に接続されている。
【００１３】
これにより音楽再生装置１は、操作ボタンの操作に応じて、コンパクトディスクドライブのディスクトレイ１２を本体正面２Ａの前側にせり出させ、かくしてディスクトレイ１２にコンパクトディスクを載上させ得るようになされている。そして音楽再生装置１は、操作ボタンの操作に応じて、ディスクトレイ１２をコンパクトディスクドライブに収納することにより、ディスクトレイ１２上のコンパクトディスクを当該コンパクトディスクドライブの内部に装填させることができる。
【００１４】
このようにして音楽再生装置１は、コンパクトディスクが装填された状態で操作ボタンを介して再生開始命令が入力されると、コンパクトディスクから音楽データを再生し、その音楽データに基づくステレオ音楽を右スピーカ部３及び左スピーカ部４の右側スピーカ１５及び左側スピーカ１６を介して放音してユーザに聴かせることができる。また音楽再生装置１は、例えば音楽データの再生中には再生時間のように再生中の音楽データに関連する種々の情報を表示パネル１０に表示してユーザに通知し得るようになされている。
【００１５】
かかる構成に加えて音楽再生装置１の場合、図２に示すように、本体部２の内部には、金属板を折り曲げるようにして形成されたシャーシ２０が設けられている。そしてシャーシ２０には、本体部２の内部に収納された電子部品としての例えば２つのプリント配線基板２１及び２２が互いの一面を離間させ、かつこれら一面をそれぞれ本体部２の側板２Ｂ及び２Ｃと平行にして取り付けられている。
【００１６】
また一方のプリント配線基板２１の一面にはコネクタ（図示せず）が実装され、当該コネクタには、フラットケーブル２５の一端に設けられたコネクタ２６が機械的及び電気的に接続されている。さらに他方のプリント配線基板２２の一面にもコネクタ（図示せず）が実装され、当該コネクタには、フラットケーブル２５の他端に設けられたコネクタ２７が機械的及び電気的に接続されている。これにより本体部２は、一方及び他方のプリント配線基板２１及び２２に実装されている種々の電子素子に対しフラットケーブル２５を介して各種コマンドやデータを送受させ得るようになされている。
【００１７】
さらにまたシャーシ２０には、一方及び他方のプリント配線基板２１及び２２の横側に配置された断面略Ｌ字状の梁２０Ａが設けられている。この梁２０Ａは、一方の板部を例えば本体部２の底板２Ｄと平行にし、他方の板部（以下、これをホルダ取付板部と呼ぶ）２０ＡＸを一方及び他方のプリント配線基板２１及び２２の側面と平行にしている。そしてフラットケーブル２５は、一方及び他方のプリント配線基板２１及び２２同士を僅かにたわんだ状態で導通接続している。これによりホルダ取付板部２０ＡＸには、一方のプリント配線基板２１から他方のプリント配線基板２２へ渡るフラットケーブル２５において当該フラットケーブル２５の一端から他端までの間の途中部分を保持するケーブルホルダ３０が固定ネジ２８によって取り付けられている。
【００１８】
この場合、図３及び図４に示すように、ケーブルホルダ３０は、プラスチックやテフロン（登録商標）等の絶縁材により所定の厚みを有する略長方形の板状に形成された硬質なホルダ本体３１を有している。そしてホルダ本体３１の長手方向（以下、これをホルダ長手方向と呼ぶ）に沿った一端（以下、これをホルダ一端と呼ぶ）側には、ホルダ一端からホルダ長手方向に沿った他端（以下、これをホルダ他端と呼ぶ）側へ形成された略長方形状の切欠でなるケーブル保持部３２が形成されている。このケーブル保持部３２は、ホルダ長手方向と平行で、ホルダ本体３１のホルダ一端に開口が位置し、当該ホルダ本体３１の例えば中央部にケーブル保持部３２内の底面（すなわち、切欠内の底面であり、以下、これを内底面と呼ぶ）３２Ａが位置するように形成されている。
【００１９】
またケーブル保持部３２内の平行な一対の側面（すなわち、切欠内の一対の側面であり、以下、これらを内側面と呼ぶ）３２Ｂ及び３２Ｃのうち、一方の内側面（以下、これを一方内側面と呼ぶ）３２Ｂにおいて開口側（すなわち、ホルダ一端側）には、当該一方内側面３２Ｂと他方の内側面（以下、これを他方内側面と呼ぶ）３２Ｃとの間の幅（以下、これを切欠幅と呼ぶ）Ｗ１を、そのホルダ一端側でだけ狭める突起でなるケーブル抜防止部３３が形成されている。そしてケーブル抜防止部３３は、ケーブル保持部３２の他方内側面３２Ｃの開口側（すなわち、ホルダ一端側）と対向する先端部の壁面（以下、先端壁面と呼ぶ）３３Ａよりも開口側（すなわち、ホルダ一端側）の壁面（以下、これを開口側壁面と呼ぶ）３３Ｂが、当該他方内側面３２Ｃとの間口を外部に向けて徐々に広げるようにテーパ状に形成されている。
【００２０】
さらにケーブル保持部３２の他方内側面３２Ｃは、ケーブル抜防止部３３の開口側壁面３３Ｂと対向する開口側（すなわち、ホルダ一端側）の端部（以下、これを内側面開口側端部と呼ぶ）３２ＣＸが、当該開口側壁面３３Ｂとの間口を外部に向けてさらに徐々に広げるようにテーパ状に形成されている。
【００２１】
これにより図５（Ａ）及び（Ｂ）に示すように、ケーブル抜防止部３３は、先端壁面３３Ａと、ケーブル保持部３２の他方内側面３２Ｃの対向部分（以下、これを先端対向部分と呼ぶ）３２ＣＹとの間に、フラットケーブル２５の途中部分をケーブル保持部３２内まで差し込ませるための隙間（以下、これを差込隙間と呼ぶ）３５を形成する。そしてケーブル保持部３２の内側面開口側端部３２ＣＸは、ケーブル抜防止部３３の開口側壁面３３Ｂと共に、当該ケーブル保持部３２へのフラットケーブル２５の差し込みをガイドする差込ガイド３６を形成している。
【００２２】
すなわち差込ガイド３６は、例えばケーブル保持部３２へフラットケーブル２５の途中部分が差し込まれるときに、当該フラットケーブル２５の一方の縁２５Ａがケーブル抜防止部３３の開口側壁面３３Ｂに押し付けられると、その縁２５Ａを開口側壁面３３Ｂに沿って滑らせて差込隙間３５の入り口までガイドする（図５（Ａ））。また差込ガイド３６は、例えばケーブル保持部３２へフラットケーブル２５の途中部分が差し込まれるときに、当該フラットケーブル２５の一方の縁２５Ａがケーブル保持部３２の内側面開口側端部３２ＣＸに押し付けられると、その縁２５Ａを内側面開口側端部３２ＣＸに沿って滑らせて差込隙間３５の入り口までガイドする（図５（Ｂ））。
【００２３】
これに加えてケーブル抜防止部３３（図３及び図４）は、ケーブル保持部３２の内底面３２Ａと対向する壁面（以下、これを底対向壁面と呼ぶ）３３Ｃがホルダ本体３１のホルダ他端と平行に形成されている。そしてケーブル保持部３２は、内底面３２Ａからケーブル抜防止部３３の底対向壁面３３Ｃまでの深さ（以下、これを切欠深さと呼ぶ）Ｄがフラットケーブル２５の幅よりも長く選定されている。因みにフラットケーブル２５の幅とは、帯状のフラットケーブル２５一方の縁２５Ａから他方の縁までの長さであり、以下、これをケーブル幅と呼ぶ。
【００２４】
またケーブル保持部３２は、切欠幅Ｗ１がフラットケーブル２５の太さよりも長く（例えば、ケーブル太さの２倍乃至４倍程度に）選定されている。因みにフラットケーブル２５の太さとは、帯状のフラットケーブル２５の一方の面から他方の面までの最大の厚みであり（すなわち、１本分のケーブルの直径でもある）、以下、これをケーブル太さと呼ぶ。これによりケーブル保持部３２は、外部からフラットケーブル２５の途中部分を、当該フラットケーブル２５の幅方向（以下、これをケーブル幅方向と呼ぶ）をホルダ長手方向とほぼ平行にした状態で差込隙間３５を介して内部に差し込ませ、かくしてフラットケーブル２５の途中部分を、一方の縁２５Ａを内底面３２Ａ側に位置させ、かつ他方の縁を差込隙間３５側に位置させて保持し得るようになされている。
【００２５】
さらにホルダ本体３１のホルダ他端側には、固定ネジ２８のネジ部を通すための孔３１Ａが穿設されている。さらにまたホルダ本体３１のホルダ長手方向と平行な一方の側面３１Ｂには、ホルダ他端寄りに位置決用凹部３１Ｃが形成されている。
【００２６】
そしてシャーシ２０においてホルダ取付板部２０ＡＸには、ホルダ本体３１の孔３１Ａに対応するネジ孔（図示せず）が形成されている。またホルダ取付板部２０ＡＸには、ホルダ本体３１の位置決用凹部３１Ｃに対応する位置決用突起部２０ＡＸＹ（図２）も設けられている。これによりホルダ本体３１（図２）は、ホルダ取付板部２０ＡＸに対し、位置決用突起部２０ＡＸＹに位置決用凹部３１Ｃを嵌合させて位置決めされた状態で、孔３１Ａを介してネジ孔にねじ込まれた固定ネジ２８によって取り付けられている。
【００２７】
ところでホルダ本体３１は、ホルダ取付板部２０ＡＸに取り付けられたとき、ケーブル保持部３２の内底面３２Ａが当該ホルダ取付板部２０ＡＸの縁２０ＡＸＺ（図２）から離れて位置し、かつケーブル保持部３２に保持されたフラットケーブル２５がホルダ取付板部２０ＡＸの縁２０ＡＸＺに接触しないように、ホルダ一端からホルダ他端までの長さＨが選定されると共に、孔３１Ａ及び位置決用凹部３１Ｃの位置が選定されている。これによりホルダ本体３１は、音楽再生装置１の持ち運び等の際に外部から加えられる振動が、ケーブル保持部３１に保持されているフラットケーブル２５に伝搬しても、当該ケーブル保持部３１内のフラットケーブル２５がホルダ取付板部２０ＡＸの縁２０ＡＸＺに接触したまま振動して亀裂が生じ破損することを回避している。
【００２８】
ここで図６に示すように、フラットケーブル２５は、複数の導線３７がそれぞれ弾性を有する樹脂被膜３８で被覆された状態で帯状に束ねられて形成されている。この場合、フラットケーブル２５の複数の導線３７は、それぞれ同一の直径Ｒを有している。またフラットケーブル２５の樹脂被膜３８は、個々の導線３７の周囲をそれぞれ同一かつ一定の厚みＷ２で被覆するように形成されている。よってフラットケーブル２５は、導線３７の直径Ｒに２枚分の樹脂被膜３８（すなわち、導線３７の周囲を一周に渡って被覆する樹脂被膜３８において、帯状のフラットケーブル２５の一方の面側の部分と他方の面側の部分）の厚みを加算したようなケーブル太さＷ３を有している。
【００２９】
そして図７に示すように、ケーブル抜防止部３３は、先端壁面３３Ａが、ケーブル保持部３２の他方内側面３２Ｃと平行な平面状に形成されている。また差込隙間３５は、ケーブル太さＷ３よりも、さらに例えばフラットケーブル２５の樹脂被膜３８の１枚の厚みＷ２分だけ狭めた幅（以下、これを隙間幅と呼ぶ）Ｗ４のように、フラットケーブル２５の導線３７の直径Ｒよりも広く、かつケーブル太さＷ３よりも狭い任意の隙間幅Ｗ４に選定されている。
【００３０】
これにより図８（Ａ）及び（Ｂ）に示すように、ケーブル抜防止部３３は、外部から差込隙間３５にフラットケーブル２５の途中部分が一方の縁２５Ａ側から差し込まれたとき、ケーブル保持部３２の他方内側面３２Ｃの先端対向部分３２ＣＹと共に先端壁面３３Ａによって、フラットケーブル２５の樹脂被膜３８を押し潰して変形させながら差込隙間３５を通させる。そして差込隙間３５を通ったフラットケーブル２５の途中部分は、ケーブル保持部３２内に到達すると、当該差込隙間３５を通ったときに先端壁面３３Ａと、他方内側面３２Ｃの先端対向部分３２ＣＹとによって押し潰されていた樹脂被膜３８がその弾性により元の形状に復元する。
【００３１】
すなわちケーブル保持部３２内に差し込まれたフラットケーブル２５の途中部分は、ケーブル太さＷ３が差込隙間３５の隙間幅Ｗ４よりも太くなる。これによりケーブル抜防止部３３は、ケーブル保持部３２内に保持されているフラットケーブル２５が振動する等して動いても当該フラットケーブル２５の他方の縁２５Ｂを、先端壁面３３Ａにおけるホルダ他端側（すなわち、内底面３３Ａ側）の角部（すなわち、先端壁面３３Ａと底対向壁面３３Ｃとが接する角部であり、以下、これを他端側角部と呼ぶ）３３ＡＸや底対向壁面３３Ｃに突き当てさせ、かくして差込隙間３５を介して外部へ抜け出すことを防止している。
【００３２】
ところで図４に示すように、ケーブル抜防止部３３の先端壁面３３Ａは、ホルダ長手方向に沿った長さＬが、例えばフラットケーブル２５内の個別なケーブル（すなわち、１本の導線３７と、その周囲を一周に渡って被覆する樹脂被膜３８とからなる個別なケーブル）１本分の太さ以上で、当該個別なケーブル２本分の幅よりも短い所定の長さに選定されている。これにより図８（Ａ）及び（Ｂ）に示すように、ケーブル抜防止部３３は、フラットケーブル２５の途中部分が差込隙間３５を通るときに、そのフラットケーブル２５と擦れる先端壁面３３Ａの長さＬを極力短くして樹脂被膜３８が擦り切れることを防止している。
【００３３】
またケーブル抜防止部３３は、先端壁面３３Ａにおけるホルダ他端側の他端側角部３３ＡＸが円弧状に形成されている。またケーブル抜防止部３３は、先端壁面３３Ａにおけるホルダ一端側（すなわち、開口側）の角部（すなわち、先端壁面３３Ａと開口側壁面３３Ｂとが接する角部であり、以下、これを一端側角部と呼ぶ）３３ＡＹも円弧状に形成されている。
【００３４】
これによりケーブル抜防止部３３は、フラットケーブル２５の途中部分が差込隙間３５に差し込まれて通るときに、一端側角部３３ＡＹや他端側角部３３ＡＸにフラットケーブル２５の樹脂被膜３８が引っ掛り亀裂が生じて破損することを防止している。またケーブル抜防止部３３は、ケーブル保持部３２内に保持されているフラットケーブル２５が他端側角部３３ＡＸに接触したまま振動する等して当該フラットケーブル２５の樹脂被膜動３８が擦り切れて破損することも防止している。
【００３５】
さらに図９（Ａ）乃至（Ｃ）に示すように、ケーブル保持部３２の内底面３２Ａは、ホルダ他端側に突出させるような円弧状に形成されている。これによりケーブル保持部３２は、内部に保持しているフラットケーブル２５が一方の縁２５Ａを内底面３２Ａに接触させたまま例えばケーブルホルダ３１が一方内側面３２Ｂ及び他方内側面３２Ｃへ振動した場合、当該フラットケーブル２５の変位に応じて内底面３２Ａに対する一方の縁２５Ａの接触部分を変化させることができる。よってケーブル保持部３２は、内部に保持しているフラットケーブル２５が一方の縁２５Ａを内底面３２Ａに接触させたまま一方内側面３２Ｂ及び他方内側面３２Ｃへ振動した場合、当該一方の縁２５Ａにおいて常に同じ部分が内底面３２Ａと擦れて磨耗することを極力回避している。
【００３６】
以上の構成において、音楽再生装置１は、本体部２の内部に設けられたシャーシ２０に対し、ホルダ本体３１にケーブル太さＷ３よりも幅広な切欠でなるケーブル保持部３２を形成すると共に、当該ケーブル保持部３２の開口部分に突起でなるケーブル抜防止部３３を形成してケーブル太さＷ３よりも僅かに狭い差込隙間３５を有するケーブルホルダ３０が取り付けられている。そして音楽再生装置１では、一方及び他方のプリント配線基板２１及び２２を導通接続するフラットケーブル２５の途中部分を一方の縁２５Ａ側から、ケーブルホルダ３０の差込隙間３５を通してケーブル保持部３２内まで差し込ませ、当該ケーブル保持部３２内にフラットケーブル２５の途中部分を保持する。
【００３７】
従って音楽再生装置１では、ケーブルホルダ３０においてフラットケーブル２５の途中部分を、ケーブル太さＷ３よりも僅かに狭い差込隙間３５を介してケーブル保持部３２内に差し込ませるだけの簡易な作業で、当該フラットケーブル２５の途中部分をケーブル保持部３２内に保持することができる。
【００３８】
以上の構成によれば、音楽再生装置１において、本体部２の内部でフラットケーブル２５の途中部分を保持するケーブルホルダ３０のホルダ本体３１に、ケーブル太さＷ３よりも幅広な切欠でなるケーブル保持部３２を形成すると共に、そのケーブル保持部３２の開口部分をケーブル太さＷ３よりも僅かに狭い差込隙間３５にする突起でなるケーブル抜防止部３３を形成するようにした。これにより音楽再生装置１では、ケーブルホルダ３０においてフラットケーブル２５の途中部分を、ケーブル太さＷ３よりも僅かに狭い差込隙間３５を介してケーブル保持部３２内に差し込ませるだけの（すなわち、フラットケーブル２５に対し僅かに力をかけて押し込ませるような）簡易な作業で、当該フラットケーブル２５の途中部分をケーブル保持部３２内に保持することができる。よって音楽再生装置１では、ケーブルホルダ３０に対しフラットケーブル２５を保持させるための作業の作業性を向上させることができる。
【００３９】
また音楽再生装置１では、ケーブルホルダ３０においてケーブル抜防止部３３の開口側壁面３３Ｂと、当該開口側壁面３３Ｂと対向するケーブル保持部３２の内側面開口側端部３２ＣＸとを、開口の間口を外部に向けて徐々に広げるようにテーパ状に形成した。従って音楽再生装置１では、ケーブルホルダ３０のケーブル保持部３２にフラットケーブル２５の途中部分が一方の縁２５Ａ側から差し込まれるときに、これらテーパ状の開口側壁面３３Ｂと内側面開口側端部３２ＣＸとにより当該フラットケーブル２５の途中部分の一方の縁２５Ａを差込隙間３５の入り口まで容易にガイドすることができる。
【００４０】
さらに音楽再生装置１では、ケーブルホルダ３０において差込隙間３５の隙間幅Ｗ４を、ケーブル太さＷ３よりも例えばフラットケーブル２５の樹脂被膜３８の１枚分の厚みＷ２だけ狭めるように選定した。従って音楽再生装置１では、ケーブルホルダ３０においてフラットケーブル２５の途中部分が差込隙間３５に通されるとき、当該フラットケーブル２５の樹脂被膜３８のみを押し潰し、導線３７までも押し潰して断線することを防止することができる。また音楽再生装置１では、フラットケーブル２５の途中部分が差込隙間３５に通されるときに樹脂被膜３８を押し潰しても、そのフラットケーブル２５の途中部分がケーブル保持部３２内に到達すると、押し潰していた樹脂被膜３８が弾性により元の形に復元し当該差込隙間３５の隙間幅Ｗ４よりも太くなるため、フラットケーブル２５がケーブル保持部３２内から抜け出すことを防止することができる。よって音楽再生装置１では、ケーブルホルダ３０においてケーブル保持部３２に差し込まれたフラットケーブル２５を確実かつ永続的に保持することができる。
【００４１】
さらに音楽再生装置１では、ケーブルホルダ３０においてケーブル抜防止部３３の先端壁面３３Ａの長さＬを極力短くするようにした。従って音楽再生装置１では、ケーブルホルダ３０においてフラットケーブル２５の途中部分が差込隙間３５に通されるとき、そのフラットケーブル２５の樹脂被膜３８の同一部分が先端壁面３３Ａと長い間擦れて磨耗し、その結果として樹脂被膜３８が擦り切れて破損することをほぼ確実に防止することができる。
【００４２】
さらに音楽再生装置１では、ケーブルホルダ３０においてケーブル抜防止部３３の先端壁面３３Ａにおける他端側角部３３ＡＸ及び一端側角部３３ＡＹを円弧状に形成するようにした。従って音楽再生装置１では、ケーブルホルダ３０においてフラットケーブル２５の途中部分が差込隙間３５に通されるときに一端側角部３３ＡＹや他端側角部３３ＡＸにフラットケーブル２５の樹脂被膜３８が引っ掛って亀裂が生じて破損することをほぼ確実に防止することができると共に、ケーブル保持部３２内にフラットケーブル２５を保持した後に、そのフラットケーブル２５が他端側角部３３ＡＸに接触したまま振動しても樹脂被膜３８が擦り切れて破損することをほぼ確実に防止することができる。
【００４３】
さらにまた音楽再生装置１では、ケーブルホルダ３０においてケーブル保持部３２の内底面３２Ａをホルダ他端側に突出させるような円弧状に形成するようにした。従って音楽再生装置１では、ケーブルホルダ３０においてケーブル保持部３２内に保持しているフラットケーブル２５が一方の縁２５Ａを内底面３２Ａに接触させたまま一方内側面３２Ｂ及び他方内側面３２Ｃへ振動した場合、当該フラットケーブル２５の一方の縁２５Ａにおいて同じ部分のみが内底面３２Ａと擦れて磨耗することを極力回避することができる。
【００４４】
なお上述した実施の形態においては、ケーブルホルダ３０を単体で用意してシャーシ２０に取り付けるようにした場合について述べたが、本発明はこれに限らず、図１０に示すように、ケーブルホルダ４０を本体部２の絶縁性樹脂により形成された天板４１や側板、底板等の筐体の少なくとも一部と一体に形成し、そのケーブルホルダ４０にフラットケーブル２５を保持するようにしても良い。
【００４５】
また上述した実施の形態においては、ケーブルホルダ３０においてケーブル抜防止部３３の先端壁面３３Ａを平面状に形成するようにした場合について述べたが、本発明はこれに限らず、図１１に示すように、ケーブルホルダ４５においてケーブル抜防止部４６の先端壁面４６Ａを円弧状（又はケーブル抜防止部４６全体をケーブル保持部の他方内側面側に突出する円弧状や半楕円形のような弓形状）に形成するようにしても良い。
【００４６】
さらに上述した実施の形態においては、ケーブルホルダ３０においてケーブル抜防止部３３の開口側壁面３３Ｂと、ケーブル保持部３２の内側面開口側端部３２ＣＸとをテーパ状に形成するようにした場合について述べたが、本発明はこれに限らず、図１２に示すように、ケーブルホルダ４８においてケーブル抜防止部３３の開口側壁面３３Ｂのみをテーパ状（又は、弓形状や円弧状）に形成し、ケーブル保持部４９についてはテーパ状の内側面開口側端部を形成せずに他方内側面４９Ａとホルダ一端５０との角部４９ＡＸを円弧状に形成するようにしても良い。
【００４７】
また図１３に示すように、ケーブルホルダ５２においてケーブル抜防止部５３の開口側壁面５３Ａと、ケーブル保持部５４の内側面開口側端部５４Ａとを弓形状（又は、円弧状）に形成するようにしても良い。かかる構成によっても上述した実施の形態と同様にフラットケーブル２５の途中部分を差込隙間３５にガイドすることができる。
【００４８】
さらに上述した実施の形態においては、ケーブルホルダ３０においてケーブル保持部３２の一方内側面３２Ｂの開口側にのみケーブル抜防止部３３を形成するようにした場合について述べたが、本発明はこれに限らず、ケーブルホルダ３０においてケーブル保持部３２の一方内側面３２Ｂ及び他方内側面３２Ｃの両方の開口側にケーブル抜防止部を形成するようにしても良い。かかる構成としては、図１４に示すように、ケーブルホルダ５５においてケーブル保持部５６の一方内側面５６Ａ及び他方内側面５６Ｂの両方の開口側に、互いの先端部の先端壁面５７Ａ及び５８Ａを対向させる突起でなるケーブル抜防止部５７及び５８を形成し、かつ互いの開口側壁面５７Ｂ及び５８Ｂを開口の間口を広げるテーパ状（又は、弓形状）に形成するようにしても良い。またかかる構成としては、図１５に示すように、ケーブルホルダ６０においてケーブル保持部６１の一方内側面６１Ａ及び他方内側面６１Ｂの両方の開口側に、互いの半楕円形のような弓形状（又は、円弧状）の先端部６２Ａ及び６３Ａを対向させる突起でなるケーブル抜防止部６２及び６３を形成するようにしても良い。かかる構成によっても上述した第１の実施の形態と同様の効果を得ることができる。
【００４９】
さらに上述した実施の形態においては、ケーブルホルダ３０においてケーブル保持部３２内にフラットケーブル２５を保持するようにした場合について述べたが、本発明はこれに限らず、ケーブルホルダ３０においてケーブル保持部３２内に、１又は複数の単線でなるケーブル（すなわち、１本の導線のみを収納しているケーブル）を保持するようにしても良い。
【００５０】
さらに上述した実施の形態においては、ケーブルホルダ３０においてホルダ本体３１に略長方形状の切欠でなるケーブル保持部３２を形成するようにした場合について述べたが、本発明はこれに限らず、ケーブルホルダ３０においてホルダ本体３１に円形状や楕円形状等のように種々の形状の切欠でなるケーブル保持部を形成するようにしても良い。
【００５１】
さらに上述した実施の形態においては、本発明による電子機器を、図１乃至図１５について上述した音楽再生装置１に適用するようにした場合について述べたが、本発明はこれに限らず、パーソナルコンピュータや、ゲーム機器、ディスクレコーダ、テレビジョン受像機等のように、この他種々の電子機器に広く適用することができる。
【産業上の利用可能性】
【００５２】
本発明は、音楽再生装置やパーソナルコンピュータ等の電子機器の内部でケーブルを保持するケーブルホルダに利用することができる。
【図面の簡単な説明】
【００５３】
【図１】本発明による音楽再生装置の構成の一実施の形態を示す略線的斜視図である。
【図２】ケーブルホルダによるフラットケーブルの保持の説明に供する略線的正面図である。
【図３】ケーブルホルダの構成（１）を示す略線的斜視図である。
【図４】ケーブルホルダの構成（２）を示す略線的正面図である。
【図５】差込隙間へのフラットケーブルのガイドの説明に供する略線的正面図である。
【図６】フラットケーブルの構成を示す略線的断面図である。
【図７】ケーブル抜防止部の構成を示す略線的正面図である。
【図８】ケーブル保持部へのフラットケーブルの差し込みの説明に供する略線的正面図である。
【図９】ケーブル保持部の内底面の構成を示す略線的正面図である。
【図１０】他の実施の形態によるケーブルホルダの構成（１）を示す略線的正面図である。
【図１１】他の実施の形態によるケーブルホルダの構成（２）を示す略線的正面図である。
【図１２】他の実施の形態によるケーブルホルダの構成（３）を示す略線的正面図である。
【図１３】他の実施の形態によるケーブルホルダの構成（４）を示す略線的正面図である。
【図１４】他の実施の形態によるケーブルホルダの構成（５）を示す略線的正面図である。
【図１５】他の実施の形態によるケーブルホルダの構成（６）を示す略線的正面図である。
【符号の説明】
【００５４】
１……音楽再生装置、２……本体部、２１、２２……プリント配線基板、２５……フラットケーブル、３０、４０、４５、４８、５２、５５、６０……ケーブルホルダ、３１……ホルダ本体、３２、４９、５４、５６、６１……ケーブル保持部、３２Ａ……内底面、３２Ｂ、５６Ａ、６１Ａ……一方内側面、３２Ｃ、４９Ａ、５６Ｂ、６１Ｂ……他方内側面、３２ＣＸ、５４Ａ、５８Ｂ……内側面開口側端部、３２ＣＹ……先端対向部分、３３４６、５３、５７、５８、６２、６３……ケーブル抜防止部、３３Ａ、４６Ａ、５７Ａ、５８Ａ、６２Ａ、６３Ａ……先端壁面、３３ＡＸ……他端側角部、３３ＡＹ……一端側角部、３３Ｂ、５３Ａ、５７Ｂ、５８Ｂ……開口側壁面、３５……差込隙間、３６……差込ガイド、３７……導線、３８……樹脂被膜。
【図１】
2008211867.tif 000003
【図２】
2008211867.tif 000004
【図３】
2008211867.tif 000005
【図４】
2008211867.tif 000006
【図５】
2008211867.tif 000007
【図６】
2008211867.tif 000008
【図７】
2008211867.tif 000009
【図８】
2008211867.tif 000010
【図９】
2008211867.tif 000011
【図１０】
2008211867.tif 000012
【図１１】
2008211867.tif 000013
【図１２】
2008211867.tif 000014
【図１３】
2008211867.tif 000015
【図１４】
2008211867.tif 000016
【図１５】
2008211867.tif 000017